(57)【要約】　　　（修正有）【課題】型開きの順序を制限することにより成形品を安定して固定金型側に残すことができる金型開放順序制御装置、射出成形金型を提供することを目的とする。【解決手段】スライド部６、ロックホルダ部７を有するリンク８、リンク８のスライド部６を摺動可能に可動金型３に取付けるリンク取付ピン９、リンク８のロックホルダ部７を着脱可能な、固定金型４に取りつけられるロックブッシュ１０とを有し、可動金型３を移動させることにより、可動金型３と固定金型４間でリンク８のスライド部６の摺動ストロークで開放する第一の開放動作と、固定金型４と固定金型取付板５間でリンク８のロックホルダ部７とロックブッシュ１０が連結した状態で開放する第二の開放動作と、可動金型３と固定金型４間でリンク８のロックホルダ部７とロックブッシュ１０が連結解除された状態で開放する第三の開放動作と、を順次可能とすることを特徴とする。【選択図】　　図１
2004074591.tif 000002
【特許請求の範囲】
【請求項１】
固定金型取付板と固定金型と可動金型からなる射出成形金型に取り付けて該射出成形金型の開放を制御する金型開放順序制御装置において、
スライド部とロックホルダ部を有するリンクと、
該リンクの前記スライド部を摺動可能に前記可動金型に取付けるリンク取付ピンと、
前記リンクの前記ロックホルダ部を着脱可能な、前記固定金型に取りつけられるロックブッシュと、を有し、
前記可動金型を移動させることにより、前記可動金型と前記固定金型間で前記リンクのスライド部の摺動ストロークで開放する第一の開放動作と、前記固定金型と前記固定金型取付板間で前記リンクのロックホルダ部と前記ロックブッシュが連結した状態で開放する第二の開放動作と、前記可動金型と前記固定金型間で前記リンクのロックホルダ部と前記ロックブッシュが連結解除された状態で開放する第三の開放動作と、を順次可能とすることを特徴とする金型開放順序制御装置。
【請求項２】
固定金型取付板と、固定金型と、可動金型とを有し、前記固定金型と前記可動金型間に連続フィルムを通過させる一組の金型と、
請求項１記載の開放順序制御装置と、を有することを特徴とする射出成形金型。
【発明の詳細な説明】
【０００１】
【発明の属する技術分野】
本発明は、固定金型と可動金型からなる射出成形金型の型開きの距離を調整できる金型開放順序制御装置、射出成形金型に関するものである。
【０００２】
【従来の技術】
従来、固定金型と可動金型からなる射出成形金型の型開き及び型締めの際の固定金型と可動金型の開き距離は、リンク或いは制御ボルトにより調整されていた。この技術の例として、リンクにより固定金型と可動金型の開き距離が制限されている射出成形金型が特開平０８−３０９８１０号公報に開示されている。
【０００３】
かかる射出成形金型は、固定金型と可動金型とがリンクにより所定の距離だけ開くよう構成されていて、型締めした際に、固定金型と可動金型の開く距離を制限していた分が余り、リングがスライドして射出成形金型の外形の外へ突き出ることを防止している。
【０００４】
【発明が解決しようとする課題】
しかし、上記従来の射出成形金型は、その型開きの距離がリンクの距離に制限され、かかるリンクの長さは、型締めした際にリングがスライドして射出成形金型の外形の外へ突出しないように射出成形金型の総厚以内にしなければならないという限度があった。
【０００５】
そこで本発明は、射出成形金型の総厚に関係なく型開きの距離及び順序を所定の状態にコントロールすることができ、固定金型と可動金型の開きを大きくすることにより、磨きなどのメンテナンスを容易に行うことができるとともに、型開きの順序を制限することにより成形品を安定して固定金型側に残すことができる金型開放順序制御装置、射出成形金型を提供することを目的とする。
【０００６】
【課題を解決するための手段】
上記課題を解決するために本発明に係る金型開放順序制御装置及び射出成形金型は、固定金型取付板と固定金型と可動金型からなる射出成形金型に取り付けて該射出成形金型の開放を制御する金型開放順序制御装置において、スライド部とロックホルダ部を有するリンクと、該リンクの前記スライド部を摺動可能に前記可動金型に取付けるリンク取付ピンと、前記リンクの前記ロックホルダ部を着脱可能な、前記固定金型に取りつけられるロックブッシュと、を有し、前記可動金型を移動させることにより、前記可動金型と前記固定金型間で前記リンクのスライド部の摺動ストロークで開放する第一の開放動作と、前記固定金型と前記固定金型取付板間で前記リンクのロックホルダ部と前記ロックブッシュが連結した状態で開放する第二の開放動作と、前記可動金型と前記固定金型間で前記リンクのロックホルダ部と前記ロックブッシュが連結解除された状態で開放する第三の開放動作と、を順次可能とすることを特徴とする。
【０００７】
【発明の実施の形態】
本発明に係る金型開放順序制御装置及び射出成形金型の実施形態について、図を用いて説明する。図１は本実施形態にかかる金型開放順序制御装置の斜視図、図２は金型開放順序制御装置の断面図、図３は金型開放順序制御装置を設けた射出成形金型の平面図、図４はリンクのロックホルダ部とロックブッシュの説明図、図５は可動金型と固定金型間の第一の開放動作の説明図、図６は固定金型と固定金型取付板間の第二の開放動作の説明図、図７は可動金型と固定金型間の第三の開放動作の説明図、図８は固定金型と可動金型に連続フィルムを連続して通過させる段階の説明図、図９は型締め段階の射出成形金型の断面図、図１０は第一の開放段階の射出成形金型の断面図、図１１は第二の開放段階の射出成形金型の断面図、図１２は第三の開放段階の射出成形金型の断面図である。
【０００８】
図１に示すように、本実施形態にかかる射出成形金型１は、金型開放順序制御装置２、可動金型３、固定金型４、固定金型取付板５から構成されている。
【０００９】
図２に示すように、金型開放順序制御装置２は、射出成形金型１の上面右端と下面左端の２ヶ所に設けられている。なお、金型開放順序制御装置２の取付け位置は、これに限定されるものでなく、上下面の中央や、左右側面に設けてもよいし、また、使用する金型開放順序制御装置２の数も任意で設定すればよい。
【００１０】
図４に示すように、金型開放順序制御装置２は、スライド部６とロックホルダ部７を有するリンク８、リンク取付ピン９、ロックブッシュ１０、固定金型取付板取付ピン１５から構成されている。
【００１１】
リンク８は、その全体長さを射出成形金型１を型締めした状態で射出成形金型１の外形から突出しない長さとしている。リンク８の一方側は、スライド部６となっており、スライド部６は、射出成形金型１の開放方向（矢印Ｘ方向）に長いスリット６ａを有する。また、リンク８の他端側、すなわち固定金型４側の端部にはロックホルダ部７となっている。
【００１２】
リンク取付ピン９は、スライド部６のスリット６ａを摺動可能なピン部９ａと、スライド部６のがたつきを規制するフランジ部９ｂとから構成されている。リンク取付ピン９は、可動金型３に固定されており、可動金型３を移動させることにより、ピン部９ａがスリット６ａに沿って摺動ストロークし、可動金型３と固定金型４間で開放する第一の開放動作が行われる。
【００１３】
固定金型取付板取付ピン１５は、固定金型取付板５に設けられた凹部５ａに設けられ、凹部５ａの底の中央に設けられた孔を貫通して固定金型４の固定金型取付板と当接する面に固定されている。固定金型取付板取付ピン１５は、固定金型４の移動とともに凹部５ａをスライドし、固定金型４と固定金型取付板５間でリンク８のロックホルダ部７とロックブッシュ１０が連結した状態で、第二の開放動作が行われる。
【００１４】
ロックブッシュ１０は、固定金型４に取りつけられ、リンク８のロックホルダ部７と着脱可能に構成されている。
【００１５】
図３に示すように、ロックホルダ部７は、ロックホルダ金具より構成され、ロックブッシュ１０への着脱方向（矢印Ｘ方向）に凸となった形状に形成されている。ロックホルダ部７の凸部７ａの両側には、ロックブッシュ１０への着脱方向（矢印Ｘ方向）と直交するロック方向（矢印Ｙ方向）に移動可能かつ、凸部７ａから所定量突出した一対のロックローラ１１が設けられている。一対のロックローラ１１の間には、ロック方向に対して所定の角度を持って当接するように一対の内部ローラ１２が設けられている。
【００１６】
ロックホルダ部７は、ロックホルダ部７の着脱方向のいずれかの位置に固定可能な調整ボルト１４を有し、調整ボルト１４と内部ローラ１２との間に皿バネ１３が設けられている。調整ボルト１４は、皿バネ１３を介して内部ローラ１２を押圧し、内部ローラ１２がロックローラ１１押圧することによりロックローラ１１が凸部７ａから突出する。このロックローラ１１の突出量は、調整ボルト１４の位置によって決められ、かかる調整ボルト１４の位置によりロックホルダ部７とロックブッシュ１０の締結力が決定されることとなる。従って、皿バネ１３等の消耗などにより、上記第二の開放動作が行われる前に、ロックホルダ部７とロックブッシュ１０が着脱する場合には、調整ボルト１４の位置を移動して適当な締結力として射出成形金型１の開放順序が狂うことを防止することができる。
【００１７】
一方、ロックブッシュ１０は、ロックホルダ部７の凸部７ａと着脱可能な門状に形成され、ロックブッシュ１０の両側の支柱１０ａの内側１０ｂは太鼓状膨らんでおり、その内側１０ｂの中央には突出したロックローラ１１が嵌まる凹部１０ｃが形成されている。
【００１８】
ロックホルダ部７とロックブッシュ１０が連結した状態で、ロックローラ１１は凹部１０ｃに嵌まってロック方向（矢印Ｙ方向）に付勢されている。そして、可動金型３の移動に伴いロックホルダ部７が所定の力で引っ張られることによりロックローラ１１が凹部１０ｃから外れる。また、逆に、可動金型３の移動に伴いロックホルダ部７が所定の力でロックブッシュ１０に連結する方向に押されることによりロックローラ１１が凹部１０ｃに嵌まる。このように、ロックホルダ部７とロックブッシュ１０が連結解除された状態で可動金型３と固定金型４間で開放する第三の開放動作が行われる。
【００１９】
ここで、射出成形金型１の型開きの際の金型開放順序制御装置２の動作について説明する。
【００２０】
まず、図４に示すような型締めされた状態から可動金型３を射出成形金型１を開く方向（矢印Ｘ方向）に移動する。この可動金型３の移動により、図５に示すように、可動金型３に固定されたリンク取付ピン９がスライド部６のスリット６ａの可動金型３側の端までスライドし、可動金型３と固定金型４の間が開き、第一の型開きが行われる。
【００２１】
次に、リンク取付ピン９がスリット６ａの端までスライドし、第一の型開きが終了した状態で、さらに可動金型３を射出成形金型１を開く方向（矢印Ｘ方向）に移動する。ここで、ロックホルダ部７とロックブッシュ１０の締結力が強く、図６に示すように、可動金型３の移動により、固定金型４が、リンク取付ピン９、リンク８、ロックブッシュ１０を介して引っ張られ、固定金型取付板５から離れる方向（矢印Ｘ方向）に移動する。この固定金型４の移動により固定金型４に固定された固定金型取付板取付ピン１５は、固定金型取付板取付ピン１５のフランジ部１５ａが凹部５ａの底に当接するまでスライドし、リンク８のロックホルダ部７とロックブッシュ１０が連結した状態で、固定金型４と固定金型取付板５の間が開き、第二の型開きが行われる。
【００２２】
次に、固定金型取付板取付ピン１５が凹部５ａの底までスライドし、第二の型開きが終了した状態で、さらに可動金型３を射出成形金型１を開く方向（矢印Ｘ方向）に移動する。ここで、第一及び第二の型開きが終了しており、可動金型３の移動によりロックホルダ部７とロックブッシュ１０が離れる方向（矢印Ｘ方向）に引っ張られる。これにより、ロックローラ１１が凹部１０ｃにより凸部７ａ内に押圧されることにより内部ローラ１２を介して皿バネ１３が収縮し、ロックローラ１１が凸部７ａ内に引っ込んで凹部１０ｃから外れ、ロックホルダ部７とロックブッシュ１０との締結が解除される。図７に示すように、ロックホルダ部７とロックブッシュ１０の締結が解除された状態で、さらに、可動金型３を引っ張ると、可動金型３と固定金型４の間が開き、第三の型開きが行われる。
【００２３】
ここで、射出成形金型１による保護パネルＰの製造について説明する。本実施形態は、２つの連続フィルムを平行に送り出す形式の射出成形金型の例である。
【００２４】
図８に示すように、可動金型３、固定金型４のそれぞれには、第１の巻き取り装置１８と第２の巻き取り装置１９とが取り付けられている。それぞれの巻き取り装置１８、１９は、送り出しロール１８ａ、１９ａと、巻き取りロール１８ｂ、１９ｂを有しており、両者間に連続フィルム１６、１７を巻き掛けている。
【００２５】
図９に示すように、可動金型３には、キャビティ３ｂと、これに連結する導入路３ａが形成されている。固定金型４には、キャビティ４ｂと、これに連結する導入路４ａが形成されている。固定金型取付板５には、透明樹脂を射出するスプルー５ｂが形成されている。
【００２６】
まず、図８に示すように、巻き取り装置５、６を作動させて、可動金型３と固定金型４との間に第一連続フィルム１６と第二連続フィルム１７を連続して通過させる。第一連続フィルム１６と第二連続フィルム１７のそれぞれの印刷パターンをキャビティ３ｂ、４ｂの位置に停止させ、その後、可動金型３と固定金型４と固定金型取付板５とを合わせ型締めする。
【００２７】
図４、図９に示すように、可動金型３と固定金型４と固定金型取付板５とを合わせた上でスプルー５ｂへ透明樹脂を射出する。射出された透明樹脂は、第一連続フィルム１６を可動金型３側に付勢しながら導入路３ａ、４ａを進み、第一連続フィルム１６と第二連続フィルム１７を可動金型３側と固定金型４側に押圧しながら、キャビティ３ｂ、４ｂに充填されて第一連続フィルム１６及び第二連続フィルム１７と一体となった成形品２１が成形される。
【００２８】
図５、図１０に示すように、成形品２１が硬化した後、可動金型３を移動して第一の型開きを行い、スプルー５ｂに形成されたスプルー形成部２１ａの粘着力により、成形品２１を固定金型４側に残す。
【００２９】
図６、図１１に示すように、成形品２１を固定金型４側に残した状態で、さらに可動金型３を移動して第二の型開きを行い、スプルー形成部２１ａの固定金型取付板５側の端部を切断する。
【００３０】
そして、図７、図１２に示すように、スプルー形成部２１ａの端部を切断された成形品２１を固定金型４側に残した状態で、成形品２１を安全に取り出せるスペースを確保して、吸引式アームを用いて成形品２１を取り出す。その後、成形品２１からスプルー形成部２１ａを切断除去し保護パネルＰ１を成形する。
【００３１】
また、射出成形金型１のキャビティ３ｂ、４ｂ内にはくばりが入ってしまい、これが成形品２１の表面に打痕を形成してしまう場合などに射出成形金型１を大きく開いて清掃を行う必要がある。この場合、前記第三の開放動作を行うことで、可動金型３と固定金型４の開きを大きくし、キャビティ３ｂ、４ｂの磨きなどのメンテナンスを容易に行うことができ、特に、可動金型３と固定金型４の間に連続フィルム１６、１７が通った状態でのはくばり除去等のメンテナンスに有効である。
【００３２】
上述のごとく、可動金型３を移動させることにより、可動金型３と固定金型４間でリンク８のスライド部６の摺動ストロークで開放する第一の開放動作と、固定金型４と固定金型取付板５間でリンク８のロックホルダ部７とロックブッシュ１０が連結した状態で開放する第二の開放動作と、可動金型３と固定金型４間でリンク８のロックホルダ部７とロックブッシュ１０が連結解除された状態で開放する第三の開放動作と、を順次可能とした。
【００３３】
これにより、リンク８の長さや射出成形金型１の総厚に関係なく型開きの距離を自在にコントロールでき、特に、薄い射出成形金型に有効である。
【００３４】
また、第一の開放を行って成形品２１を固定金型４側に残した後、第二の開閉を行ってスプルー５ｂの切断を行うように、型開きの順序を制限することにより成形品２１を安定して固定金型４側に残すことができ、成形品２１の取り出しの操作性が向上する。
【００３５】
【発明の効果】
以上説明したように、可動金型を移動させることにより、可動金型と固定金型間でリンクのスライド部の摺動ストロークで開放する第一の開放動作と、固定金型と固定金型取付板間でリンクのロックホルダ部とロックブッシュが連結した状態で開放する第二の開放動作と、可動金型と固定金型間でリンクのロックホルダ部とロックブッシュが連結解除された状態で開放する第三の開放動作と、を順次可能とする。
【００３６】
これにより、射出成形金型の総厚に関係なく型開きの距離を自在にコントロールでき、磨きなどのメンテナンスを容易に行うことができ特に、薄い射出成形金型に有効である。そして、可動金型と固定金型の開きを大きくし、キャビティの磨きなどのメンテナンスを容易に行うことができ、特に、連続フィルムが通った状態でのはくばり除去等のメンテナンスに有効である。
【００３７】
また、型開きの順序を制限することにより成形品を安定して固定金型側に残すことができる。
【図面の簡単な説明】
【図１】本実施形態にかかる金型開放順序制御装置の斜視図である。
【図２】金型開放順序制御装置の断面図である。
【図３】金型開放順序制御装置を設けた射出成形金型の平面図である。
【図４】リンクのロックホルダ部とロックブッシュの説明図である。
【図５】可動金型と固定金型間の第一の開放動作の説明図である。
【図６】固定金型と固定金型取付板間の第二の開放動作の説明図である。
【図７】可動金型と固定金型間の第三の開放動作の説明図である。
【図８】固定金型と可動金型に連続フィルムを連続して通過させる段階の説明図である。
【図９】型締め段階の射出成形金型の断面図である。
【図１０】第一の開放段階の射出成形金型の断面図である。
【図１１】第二の開放段階の射出成形金型の断面図である。
【図１２】第三の開放段階の射出成形金型の断面図である。
【符号の説明】
Ｐ　　　　…保護パネル
１　　　　…射出成形金型
２　　　　…金型開放順序制御装置
３　　　　…可動金型
３ａ、４ａ　　…導入路
３ｂ、４ｂ　　…キャビティ
４　　　　…固定金型
５　　　　…固定金型取付板
５ａ　　…凹部
５ｂ　　…スプルー
６　　　　…スライド部
６ａ　　…スリット
７　　　　…ロックホルダ部
７ａ　　…凸部
８　　　　…リンク
９　　　　…リンク取付ピン
１０　　　　…ロックブッシュ
１０ａ　　…支柱
１０ｂ　　…内側
１０ｃ　　…凹部
１１　　　　…ロックローラ
１２　　　　…内部ローラ
１３　　　　…皿バネ
１４　　　　…調整ボルト
１５　　　　…固定金型取付板取付ピン
１５ａ　　…フランジ部
１６　　　　…第一連続フィルム
１７　　　　…第二連続フィルム
１８　　　　…第１の巻き取り装置
１８ａ、１９ａ　　…送り出しロール
１８ｂ、１９ｂ　　…巻き取りロール
１９　　　　…第２の巻き取り装置
２１　　　　…成形品
２１ａ　　…スプルー形成部
【図１】
2004074591.tif 000003
【図２】
2004074591.tif 000004
【図３】
2004074591.tif 000005
【図４】
2004074591.tif 000006
【図５】
2004074591.tif 000007
【図６】
2004074591.tif 000008
【図７】
2004074591.tif 000009
【図８】
2004074591.tif 000010
【図９】
2004074591.tif 000011
【図１０】
2004074591.tif 000012
【図１１】
2004074591.tif 000013
【図１２】
2004074591.tif 000014